(57)【要約】【課題】海外での盗難などによる不正利用を効果的に防止でき、しかもユーザの利便性に優れた携帯端末装置及びそのロック設定方法を提供すること。【解決手段】携帯端末１はその基地局の情報から海外ローミング先かどうかを判断し、ローミング先である場合には、治安情報を取得して治安レベルテーブルを更新する。ユーザが操作入力部１３を介してロック指示を行うと、治安情報から取得したローミングエリアがメモリ部１８の治安レベルテーブル１８３にあるかどうかについて調べる。そして、ローミングエリアが治安レベルテーブル１８３に存在していれば、そのローミングエリアに対応する治安レベルを抽出する。次いで、ロック制御部１６は、ロック方法テーブル１８４を参照してそのローミングエリアに対応する治安レベルに対応するロック方法を選択し、選択されたロック方法で自装置又はＳＩＭ１５１にロック処理を実行する。【選択図】図６
2008271463.tif 000002
【特許請求の範囲】
【請求項１】
海外ローミング先かホームであるかの判断を行う判断手段と、前記海外ローミング先の治安情報を取得する取得手段と、自装置の電話番号と結び付けられたＳＩＭと、前記治安情報に基づいてロックを制御するロック制御手段と、を具備することを特徴とする携帯端末装置。
【請求項２】
前記ロック制御手段は、前記治安情報に基づいて前記自装置においてはコード入力を求めず、前記自装置以外の装置においてはコード入力を求めるＰＩＮロック、前記自装置のオールロック、又は前記自装置の発信利用制限を選択することを特徴とする請求項１記載の携帯端末装置。
【請求項３】
前記ロック制御手段は、前記海外ローミング先であるときに前記ＰＩＮロックを前記ＳＩＭに設定し、前記ホームに戻ったときに前記ＰＩＮロックを解除することを特徴とする請求項２記載の携帯端末装置。
【請求項４】
海外ローミング先かホームであるかの判断を行う工程と、前記海外ローミング先の治安情報を取得する工程と、前記治安情報に基づいてロックを制御する工程と、を具備することを特徴とする携帯端末装置のロック設定方法。
【請求項５】
前記治安情報に基づいて前記自装置においてはコード入力を求めず、前記自装置以外の装置においてはコード入力を求めるＰＩＮロック、前記自装置のオールロック、又は前記自装置の発信利用制限を選択することを特徴とする請求項４記載の携帯端末装置のロック設定方法。
【請求項６】
前記海外ローミング先であるときに前記ＰＩＮロックを、前記自装置の電話番号と結び付けられたＳＩＭに設定し、前記ホームに戻ったときに前記ＰＩＮロックを解除することを特徴とする請求項５記載の携帯端末装置のロック設定方法。
【発明の詳細な説明】
【技術分野】
【０００１】
本発明は、海外ローミングの際に適切なロックを行う携帯端末装置及びそのロック設定方法に関する。
【背景技術】
【０００２】
近年、携帯端末装置の不正利用を防止するために携帯端末装置に対するロック、例えばＰＩＮ（Personal Identify Number）ロックが行われる。このように携帯端末装置に対してＰＩＮロックを行う技術として、例えば特許文献１に開示されているものがある。
【特許文献１】特開平１０−１４３５８８号公報
【発明の開示】
【発明が解決しようとする課題】
【０００３】
しかしながら、従来のＰＩＮロックにおいては、ユーザが都度コード入力を行う煩わしさがある。また、一通りのロック方法しか指定できず、ユーザの利便性に欠けていた。また、近年、海外での盗難などによる不正利用が問題になっており、この問題を効果的に防止する手段もない状態である。
【０００４】
本発明はかかる点に鑑みてなされたものであり、海外での盗難などによる不正利用を効果的に防止でき、しかもユーザの利便性に優れた携帯端末装置及びそのロック設定方法を提供することを目的とする。
【課題を解決するための手段】
【０００５】
本発明の携帯端末装置は、海外ローミング先かホームであるかの判断を行う判断手段と、前記海外ローミング先の治安情報を取得する取得手段と、自装置の電話番号と結び付けられたＳＩＭと、前記治安情報に基づいてロックを制御するロック制御手段と、を具備することを特徴とする。
【０００６】
この構成によれば、ユーザが海外ローミング先の国や地域毎の治安レベルに応じたロック方法を実行することができ、不正利用を効率的に防止することができる。また、海外ローミング先に移動したときに、適切なロック方法を自動的に設定できるので、ユーザの利便性が向上する。
【０００７】
本発明の携帯端末装置においては、前記ロック制御手段は、前記治安情報に基づいて前記自装置においてはコード入力を求めず、前記自装置以外の装置においてはコード入力を求めるＰＩＮロック、前記自装置のオールロック、又は前記自装置の発信利用制限を選択することが好ましい。
【０００８】
この構成によれば、ＳＩＭを端末装置から抜き取って、他の端末装置に装着してもＰＩＮロックがかけられているので、不正利用を防止することができる。また、自装置にＳＩＭが装着されていれば、電源ＯＮ／ＯＦＦ時などの所定の動作時にはＰＩＮコードの入力を求めないので、ユーザの利便性を向上させることができる。
【０００９】
本発明の携帯端末装置においては、前記ロック制御手段は、前記海外ローミング先であるときに前記ＰＩＮロックを前記ＳＩＭに設定し、前記ホームに戻ったときに前記ＰＩＮロックを解除することが好ましい。
【００１０】
本発明の携帯端末装置のロック設定方法は、海外ローミング先かホームであるかの判断を行う工程と、前記海外ローミング先の治安情報を取得する工程と、前記治安情報に基づいてロックを制御する工程と、を具備することを特徴とする。
【００１１】
この方法によれば、ユーザが海外ローミング先の国や地域毎の治安レベルに応じたロック方法を実行することができ、不正利用を効率的に防止することができる。また、海外ローミング先に移動したときに、適切なロック方法を自動的に設定できるので、ユーザの利便性が向上する。
【００１２】
本発明の携帯端末装置のロック設定方法においては、前記治安情報に基づいて前記自装置においてはコード入力を求めず、前記自装置以外の装置においてはコード入力を求めるＰＩＮロック、前記自装置のオールロック、又は前記自装置の発信利用制限を選択することが好ましい。
【００１３】
この構成によれば、ＳＩＭを端末装置から抜き取って、他の端末装置に装着してもＰＩＮロックがかけられているので、不正利用を防止することができる。また、自装置にＳＩＭが装着されていれば、電源ＯＮ／ＯＦＦ時などの所定の動作時にはＰＩＮコードの入力を求めないので、ユーザの利便性を向上させることができる。
【００１４】
本発明の携帯端末装置のロック設定方法においては、前記海外ローミング先であるときに前記ＰＩＮロックを、前記自装置の電話番号と結び付けられたＳＩＭに設定し、前記ホームに戻ったときに前記ＰＩＮロックを解除することが好ましい。
【発明の効果】
【００１５】
本発明の携帯端末装置によれば、海外ローミング先かホームであるかの判断を行う判断手段と、前記海外ローミング先の治安情報を取得する取得手段と、自装置の電話番号と結び付けられたＳＩＭと、前記治安情報に基づいてロックを制御するロック制御手段と、を具備するので、海外での盗難などによる不正利用を効果的に防止でき、しかもユーザの利便性を向上させることができる。
【発明を実施するための最良の形態】
【００１６】
以下、本発明の実施の形態について、添付図面を参照して詳細に説明する。
図１は、本発明の実施の形態に係る携帯端末装置を用いたロック設定方法を説明するための概略構成を示す図である。図１においては、携帯端末１と、この携帯端末１とホーム移動通信網２Ａ及びインターネット３のようなネットワークを介して接続されたコンテンツサーバ４、ＰＣ５、店舗端末６とから主に構成されている。また、携帯端末１は、海外に移動した場合、海外ローミング先の移動通信網２Ｂ及びインターネット３のようなネットワークを介してコンテンツサーバ４、ＰＣ５、店舗端末６と接続される。
【００１７】
携帯端末１は、他の携帯端末との間で通話やメール送受信を行うことができる。また、携帯端末１は、移動通信網２Ａ，２Ｂ及びインターネット３を介してコンテンツサーバ４との間で治安情報などの情報を受信することができる。また、携帯端末１は、店舗端末６のリーダライタ（Ｒ／Ｗ）６１との間で非接触通信、赤外線通信、Bluetooth通信などにより治安情報を受信することができる。また、携帯端末１は、ＰＣ５で取得した治安情報をメモリカードのような外部記憶媒体により取得することができる。また、携帯端末１は、オペレーティングシステム（移動機ＯＳ）を有しており、移動機ＯＳ上でブラウザ機能、ビューワ機能、ＪＡＭ（Java（登録商標）  Application  Manager）その他の機能が動作する。
【００１８】
コンテンツサーバ４は、各国や各地域の治安レベルを含む治安情報が管理されており、要求に応じて治安情報を配信する。また、携帯端末１やＰＣ５は、コンテンツサーバ４に移動通信網２Ａ，２Ｂやインターネット３を介してアクセスすることにより、治安情報を公開したページを見ることが可能となっている。
【００１９】
図２は、図１に示す携帯端末１の概略構成を示すブロック図である。なお、図２に示す構成は、本発明を説明するために簡略化したものであり、通常の携帯端末に搭載される構成要素は備えているものとする。
【００２０】
携帯端末１は、装置全体を制御するＣＰＵ１１と、他の携帯端末との間で無線通信を行う無線通信部１２と、種々のデータを入力する操作入力部１３と、他の携帯端末との間の通話を行うための通話処理を行う通話処理部１４と、ＳＩＭ（Subscriber  Identity  Module）１５１を自装置内で機能させるＳＩＭ制御部１５と、自装置又はＳＩＭに対してロック設定を行うロック制御部１６と、種々のデータや画像・映像を表示する表示部１７と、種々のデータを格納するメモリ部１８とから主に構成されている。なお、携帯端末１は、必要に応じて、非接触通信、赤外線通信、Bluetooth通信などの近距離通信を行うためのモジュール（図示せず）を搭載し、メモリカードのような外部記憶媒体を装着できるモジュール（図示せず）を搭載する。
【００２１】
無線通信部１２は、移動通信網２を介して他の携帯端末に対して通信を行うと共に、移動通信網２及びインターネット３を介してコンテンツサーバ４や他のサーバ、ＰＣ５との間で通信を行う。無線通信部１２は、無線通信の際に通信を行っているエリアを管轄する基地局と通信を行うので、基地局との間の通信の情報により、海外ローミング先（海外）かホーム（自国（契約国））であるかの判断を行う。また、無線通信部１２は、移動通信網２及びインターネット３を介してコンテンツサーバ４から海外ローミング先の治安情報を取得する。
【００２２】
ＳＩＭ１５１は、自装置（自端末）の電話番号、ユーザの登録電話番号と結び付けられており、基本的な通信を行うことができるモジュールである。このＳＩＭ１５１を装置に装着することにより、ＳＩＭ制御部１５でユーザが登録電話番号を用いて通話やメール送受信を行うことができる。したがって、このＳＩＭ１５１を他の端末装置に装着することにより、その端末装置で登録電話番号を用いて通話やメール送受信を行うことができるようになる。
【００２３】
ロック制御部１６は、治安情報に基づいてロックを制御する。すなわち、ロック制御部１６は、メモリ部１８に格納されている治安情報、例えば後述する治安レベルテーブルを参照して適切なロック方法を選択し、そのロック方法に応じてＳＩＭ１５１又は自装置にロックをかける。
【００２４】
ロック制御部１６が選択するロック方法としては、（１）治安情報に基づいて自装置においてはコード入力を求めず、自装置以外の装置においてはコード入力を求めるＰＩＮロック、（２）自装置のオールロック、又は（３）自装置の発信利用制限を挙げることができる。なお、ロック方法は一例であり、自装置やＳＩＭに対してロックするものであれば他のロック方法であっても良い。
【００２５】
（１）のＰＩＮロックは、通常のＰＩＮロックとは異なり、予め設定することにより、海外ローミング状態を検知すると、ＳＩＭ１５１が自動的にロックされ、ロックされたことをＳＩＭ１５１又は自装置が記憶しており、電源ＯＮ／ＯＦＦ時などの所定の動作時にはＰＩＮコードの入力を求めないロック方法である。ロック制御部１６がこのＰＩＮロックを選択する場合、海外ローミング先であるときにＰＩＮロックをＳＩＭ１５１に設定し、ホームに戻ったときにＰＩＮロックを解除する。なお、海外ローミング先かホームであるかの情報については、無線通信部１２から取得する。
【００２６】
このＰＩＮロックにおいては、ＳＩＭ制御部１５によりＳＩＭ１５１が現在自装置であるかどうかを識別し、その識別結果に応じてＰＩＮコードの入力の有無を変える。したがって、上述したように、自装置においては、図３（ｂ）に示すように、電源ＯＮしたときに、ＰＩＮコード入力を求めず（例えば、ＰＩＮコード入力画面を表示させない）、電源ＯＮしたときに、Wake  Up画面を表示させる。一方、自装置以外の装置においては、図３（ａ）に示すように、ＰＩＮコード入力を求め、（例えば、ＰＩＮコード入力画面を表示させる）、ＰＩＮコードが入力された後に、Wake  Up画面を表示させる。これは、通常のＰＩＮロックと同じ処理である。このような特殊なＰＩＮロックをＳＩＭ１５１にかけることにより、ＳＩＭ１５１を端末装置から抜き取って、他の端末装置に装着してもＰＩＮロックがかけられているので、不正利用を防止することができる。しかもこのＰＩＮロックにおいては、自装置にＳＩＭ１５１が装着されていれば、電源ＯＮ／ＯＦＦ時などの所定の動作時にはＰＩＮコードの入力を求めないので、ユーザの利便性を向上させることができる。
【００２７】
ロック制御部１６が選択する（２）自装置のオールロックは、自装置自体をロックするので、端末装置を使用するたびに暗証番号の入力が求められる。このロックを用いることにより、端末装置を紛失しても不正利用を防止することができる。また、（３）自装置の発信利用制限は、海外で主に着信や目覚ましを使うことは可能であるが、発信利用を制限する。このロックを利用することにより、いたずらなどで発信されて利用料が発生することを回避できる。
【００２８】
メモリ部１８は、プログラムなどを記憶したＲＯＭ（Read Only Memory）１８１と、種々のデータを格納するＲＡＭ（Random Access Memory）１８２と、各国や各地域の治安情報としての治安レベルテーブル１８３と、治安レベルとロック方法とを関連づけたロック方法テーブル１８４とを有する。
【００２９】
治安レベルテーブル１８３は、図４に示すように、国、地域、オペレータ名などのエリアと公的機関が提供する治安レベル（Ａ）とを関連づけたものである。この治安レベルテーブルで管理する項目は図４に示すものに限定されず、適宜変更することができる。この治安レベル（Ａ）については、コンテンツサーバ４、ＰＣ５、店舗端末６などから取得することができる。コンテンツサーバ４からはインターネット３及び移動通信網２を介して取得することができ、ＰＣ５からはメモリカードなどにより取得することができ、店舗端末６からはＲ／Ｗ６１を介して非接触通信により取得することができる。公的機関などで更新された治安レベル（Ａ）は、上記の方法で取得されると、治安レベルテーブル１８３が更新される。
【００３０】
ロック方法テーブル１８４は、図５に示すように、治安レベルとロック方法（ロック種類）とを関連づけたものである。図５において、治安レベル（Ａ）は図４に示す治安レベルテーブルにおける公的機関が提供する治安レベルであり、治安レベル（Ｂ）はユーザが設定する治安レベルである。このロック方法テーブル１８４で管理する項目は図４に示すものに限定されず、適宜変更することができる。また、治安レベルとロック方法との関係は、ユーザにより適宜変更することができる。
【００３１】
次に、上記構成を有する携帯端末装置を用いたロック設定方法について説明する。
本発明に係る携帯端末装置のロック設定方法においては、海外ローミング先かホームであるかの判断を行い、前記海外ローミング先の治安情報を取得し、前記治安情報に基づいてロックを制御する。
【００３２】
図６は、本発明の実施の形態に係る携帯端末装置のロック設定方法を説明するためのフロー図である。
携帯端末１を所持したユーザが海外（ローミング先）に移動して電源をＯＮにすると、携帯端末１はその基地局の情報から海外ローミング先かどうかを判断する（ＳＴ１１）。すなわち、無線通信部１２における基地局との通信での情報を解析することにより、海外のローミング先であるかどうかを判断する。
【００３３】
ローミング先である場合には、治安情報を取得して治安レベルテーブルを更新する（ＳＴ１２）。この治安情報は、コンテンツサーバ４からインターネット３及び移動通信網２を介して取得するかと、ＰＣ５からメモリカードなどにより取得するか、店舗端末６からＲ／Ｗ６１を介して非接触通信により取得する。
【００３４】
次いで、ロック制御部１６は、ユーザが操作入力部１３を介してロック指示を行うと、治安情報から取得したローミングエリアがメモリ部１８の治安レベルテーブル１８３にあるかどうかについて調べる。すなわち、治安情報から取得したローミングエリアとメモリ部１８の治安レベルテーブル１８３とを照合する（ＳＴ１３）。そして、ローミングエリアが治安レベルテーブル１８３に存在していれば、すなわちローミングエリアと治安レベルテーブル１８３とが一致していれば（ＳＴ１４）、そのローミングエリアに対応する治安レベル（Ａ）を抽出する。
【００３５】
次いで、ロック制御部１６は、ロック方法テーブル１８４を参照してそのローミングエリアに対応する治安レベル（Ａ）に対応するロック方法を選択する。そして、選択されたロック方法で自装置又はＳＩＭ１５１にロック処理を実行する（ＳＴ１５）。
【００３６】
一方、携帯端末１が海外ローミング先かどうかを判断して、ローミング先でなければ、ロック処理を行わずに待ち受けとする（ＳＴ１６）。また、ロック制御部１６が治安情報から取得したローミングエリアとメモリ部１８の治安レベルテーブル１８３とを照合し、ローミングエリアが治安レベルテーブル１８３に存在していなければ、ロック制御部１６は、事前に設定されているロック方法で自装置又はＳＩＭ１５１にロック処理を実行する（ＳＴ１７）。
【００３７】
次に、本発明に係る特殊なＰＩＮロックについては、ホームにおいて事前設定しておくことにより、ローミング先で自動的に特殊なＰＩＮロック設定となり、ホームに帰国したときに、特殊なＰＩＮロックが解除される。なお、ホームからローミング先への移行あるいはローミング先からホームへの移行については、上述したように、無線通信部１２において基地局との通信の情報を解析することにより判断する。
【００３８】
図７は、本発明の実施の形態に係る携帯端末装置のロック設定方法における特殊ＰＩＮロックを説明するためのフロー図である。この特殊ＰＩＮロックにおいては、電源ＯＮされると、ロック制御部１６が特殊ＰＩＮロックモードであるかどうかを判断する（ＳＴ２１）。そして、特殊ＰＩＮロックモードであれば、自端末であるかどうかを判断する（ＳＴ２２）。ロック制御部１６は、自端末であるかどうか、すなわちＳＩＭが自端末に装着されているかどうかについては、ＳＩＭ制御部１５からの情報に基づいて判断する。そして、ＳＩＭが自端末に装着されていれば、図３（ｂ）に示すように、ＰＩＮコードを入力する画面を省略してWake  Up画面を表示させる(ＳＴ２３)。一方、特殊ＰＩＮロックモードでない場合、あるいはＳＩＭが自端末に装着されていなければ、図３（ａ）に示すように、ＰＩＮコードを入力する画面を表示し（ＳＴ２４）、ＰＩＮコードが入力された後にWake  Up画面を表示させる。
【００３９】
このように、本実施の形態に係る携帯端末装置のロック設定方法によれば、ユーザが海外ローミング先の国や地域毎の治安レベルに応じたロック方法を実行することができ、不正利用を効率的に防止することができる。また、海外ローミング先に移動したときに、適切なロック方法を自動的に設定できるので、ユーザの利便性が向上する。
【００４０】
本発明は上記実施の形態に限定されず、種々変更して実施することが可能である。例えば、上記実施の形態においては、特殊ＰＩＮロックを特殊モードとして用いた場合について説明しているが、本発明においては、オールロックや電話帳ロックにパスワードを設定して特殊モードとして用いるようにしても良い。また、本発明の範囲を逸脱しない限りにおいて、処理部や処理手順については適宜変更して実施することが可能である。その他、本発明の範囲を逸脱しないで適宜変更して実施することが可能である。
【図面の簡単な説明】
【００４１】
【図１】本発明の実施の形態に係る携帯端末装置を用いたロック設定方法を説明するための概略構成を示す図である。
【図２】図１に示す携帯端末１の概略構成を示すブロック図である。
【図３】（ａ），（ｂ）は、本発明の実施の形態に係る携帯端末装置のロック設定方法における特殊ＰＩＮロックを説明するための図である。
【図４】本発明の実施の形態に係る携帯端末装置で管理する治安レベルテーブルを示す図である。
【図５】本発明の実施の形態に係る携帯端末装置で管理するロック方法テーブルを示す図である。
【図６】本発明の実施の形態に係る携帯端末装置のロック設定方法を説明するためのフロー図である。
【図７】本発明の実施の形態に係る携帯端末装置のロック設定方法における特殊ＰＩＮロックを説明するためのフロー図である。
【符号の説明】
【００４２】
１  携帯端末
２Ａ，２Ｂ  移動通信網
３  インターネット
４  コンテンツサーバ
５  ＰＣ
６  店舗端末
１１  ＣＰＵ
１２  無線通信部
１３  操作入力部
１４  通話処理部
１５  ＳＩＭ制御部
１６  ロック制御部
１７  表示部
１８  メモリ部
５１  ＳＩＭ
６１  Ｒ／Ｗ
１８１  ＲＯＭ
１８２  ＲＡＭ
１８３  治安レベルテーブル
１８４  ロック方法テーブル
【図１】
2008271463.tif 000003
【図２】
2008271463.tif 000004
【図３】
2008271463.tif 000005
【図４】
2008271463.tif 000006
【図５】
2008271463.tif 000007
【図６】
2008271463.tif 000008
【図７】
2008271463.tif 000009